(57)【要約】【課題】複数のピースに切断分離する場合、レンチキュラーシートの画像が乱れることなく視覚的効果が高いジグソーパズルを提供する。【解決手段】本発明のジグソーパズル２は、立体画像やチェンジング画像が構成されたレンチキュラーシートを台紙の上部に貼り合わせて形成し、直線の組み合わせからなる複数の切断線Ｌに囲まれた複数のピースＰに切断分離される。ジグソーパズル２の枠２０内の各ピースＰは、横方向の長さＸ１〜Ｘ８と、縦方向の長さＹ１〜Ｙ６が互いに異なるとともに、各ピースＰには複数通りの多角形の凹凸部Ｕが形成されている。【選択図】  図５
2009028493.tif 000002
【特許請求の範囲】
【請求項１】
複数の短冊画像を交互に配列した印刷層の上部にレンチキュラーレンズを設けたレンチキュラーシートを、台紙の上部に貼り合わせて形成し、複数の直線状の切断線に囲まれた互いに異なる形状の複数のピースに切断分離されることを特徴とするジグソーパズル。
【請求項２】
前記複数のピースは、前記複数の直線状の切断線を直線状の刃を用いて切断することにより分離されることを特徴とする請求項１に記載のジグソーパズル。
【請求項３】
前記複数のピースは互いに異なる長方形の形状を有し、前記長方形の長辺方向に沿う前記切断線と、前記長方形の短辺方向に沿う前記切断線がそれぞれ設定されることを特徴とする請求項１に記載のジグソーパズル。
【請求項４】
複数の短冊画像を交互に配列した印刷層の上部にレンチキュラーレンズを設けたレンチキュラーシートを、台紙の上部に貼り合わせて形成し、直線の組み合わせからなる複数の切断線に囲まれた互いに異なる形状の複数のピースに切断分離されることを特徴とするジグソーパズル。
【請求項５】
前記複数のピースは、平面方向で自在に位置決め可能な小型かつ薄型の刃を用いて切断することにより分離されることを特徴とする請求項４に記載のジグソーパズル
【請求項６】
前記複数のピースは、長方形の各辺に五角形の凹凸部を付加した形状を有することを特徴とする請求項４に記載のジグソーパズル。
【請求項７】
前記レンチキュラーシートに立体画像が構成されることを特徴とする請求項１から６のいずれかに記載のジグソーパズル。
【請求項８】
前記レンチキュラーシートにチェンジング画像が構成されることを特徴とする請求項１から６のいずれかに記載のジグソーパズル。
【発明の詳細な説明】
【技術分野】
【０００１】
本発明は、立体画像やチェンジング画像が構成されたレンチキュラーシートを用いたジグソーパズルに関するものである。
【背景技術】
【０００２】
一般に、ジグソーパズルは、所望の絵柄が印刷された印刷物を厚手の台紙上に貼り合わせた後、異なる形状の多数のピースに切断分離する手順で製造される。遊戯者は、分離された全てのピースを所定位置に正しく組み合わせてジグソーパズルを完成させるが、誤った絵柄が組み立てられないように、それぞれのピースに異なる形状を持たせている。そのため、図７に示すように、多数のピースＰが切断線Ｌにより囲まれた固有の凹凸形状を有し、隣接するピースＰは切断線Ｌに沿って切断分離される。ジグソーパズルの製造時には、切断線Ｌに対応する刃が形成された抜き型を予め用意し、上部からプレスして打ち抜き加工を行うことにより、所定数のピースを切断分離することができる。
【０００３】
また、ジグソーパズルの絵柄としては、一般には平面的な印刷物が用いられるが、より視覚的効果を高めるため、立体的な絵柄を用いることが提案されている（例えば、特許文献１、２参照）。ジグソーパズルに立体的な絵柄を構成するには、表面にレンチキュラーシートにより形成した印刷物を台紙上に貼り合わせればよい。レンチキュラーシートを用いることにより、立体画像を表示することや、見る角度により異なる画像（チェンジング画像）を表示することが可能となるので、多様な視覚的効果を有するジグソーパズルを実現することができる。
【特許文献１】特開平９−４７５７２号公報
【特許文献２】特開２００４−３２９３５５号公報
【発明の開示】
【発明が解決しようとする課題】
【０００４】
一般にレンチキュラーシートは、短冊状に配列された複数の画像の上部に、かまぼこ型の断面形状を持つ多数のレンチキュラーレンズを並べて形成される。よって、個々の画像ごとにレンチキュラーレンズにおける光の反射方向が揃っていない場合は、立体画像やチェンジング画像に乱れが生じて視覚的効果を損なう。
【０００５】
しかしながら、上記従来のジグソーパズルの製造方法によれば、台紙の表面にレンチキュラーシートを貼り合わせた状態で、上述の抜き型で打ち抜き加工を行う場合、レンチキュラーシートの視覚的効果を維持することは難しい。このときのジグソーパズルの断面の状態を図８に示している。図８は、台紙１０とその上部のレンチキュラーシート１１からなるジグソーパズルに対し、抜き型でプレス方向（図中矢印で示す）にプレスした直後の状態であり、隣接するピースＰが切断線Ｌに沿って切断されている。図８からわかるように、レンチキュラーシート１１は、抜き型の押圧力により、切断線Ｌ及びその近辺でその表面が下方に変形して平坦性が保たれなくなっている。よって、個々のピースＰの画像のうち周辺領域で乱れが生じ、レンチキュラーシート１１の表面全体に構成される立体画像やチェンジング画像の品位を著しく低下させるという問題がある。また、プレスの際に変形しにくい硬質のレンチキュラーシート１１を用いることは、材料のコスト上昇や加工の困難性を招くので望ましくない。
【０００６】
そこで、本発明はこれらの問題を解決するためになされたものであり、レンチキュラーシートを用いて立体画像やチェンジング画像を構成したジグソーパズルを製造する場合、多数のピースに切断分離するときの変形に起因する画像の乱れを確実に防止し、視覚的効果が高く低コストのジグソーパズルを提供することを目的とする。
【課題を解決するための手段】
【０００７】
上記課題を解決するために、本発明のジグソーパズル（１）は、複数の短冊画像（Ｓ１、Ｓ２、Ｓ３）を交互に配列した印刷層（１２）の上部にレンチキュラーレンズ（１３）を設けたレンチキュラーシート（１１）を、台紙（１０）の上部に貼り合わせて形成し、複数の直線状の切断線（Ｌ）に囲まれた互いに異なる形状の複数のピース（Ｐ）に切断分離されることを特徴としている。
【０００８】
このような構成により、複数のピースが直線に囲まれているので、ジグソーパズルの製造時に切断分離する場合、抜き型を用いることなく直線状の刃を有する裁断機を用いることができる。よって、抜き型によるプレスでレンチキュラーシートが変形することなく平坦な表面を保ち、切断線とその近辺で立体画像やチェンジング画像の乱れを防止して高い視覚的効果を確保することができる。
【０００９】
本発明において、前記複数のピースは、前記複数の直線状の切断線を直線状の刃を用いて切断することにより分離することができる。
【００１０】
また本発明において、前記複数のピースに互いに異なる長方形の形状を持たせ、前記長方形の長辺方向に沿う前記切断線と、前記長方形の短辺方向に沿う前記切断線をそれぞれ設定することができる。
【００１１】
上記課題を解決するために、本発明のジグソーパズル（２）は、複数の短冊画像（Ｓ１、Ｓ２、Ｓ３）を交互に配列した印刷層（１２）の上部にレンチキュラーレンズ（１３）を設けたレンチキュラーシート（１１）を、台紙（１０）の上部に貼り合わせて形成し、直線の組み合わせ（図５参照）からなる複数の切断線（Ｌ）に囲まれた互いに異なる形状の複数のピース（Ｐ）に切断分離されることを特徴としている。
【００１２】
このような構成により、上記と同様、レンチキュラーシートが平坦な表面を保って立体画像やチェンジング画像の乱れを防止する作用効果に加えて、遊戯者が各ピースをはめ合わせる楽しみを享受し得る効果を奏する。
【００１３】
本発明において、前記複数のピースは、平面方向で自在に位置決め可能な小型かつ薄型の刃を用いて切断することにより分離することができる。
【００１４】
また本発明において、前記複数のピースは、長方形の各辺に五角形の凹凸部を付加した形状とすることができる。
【００１５】
さらに、本発明において、前記レンチキュラーシートに立体画像を構成することができる。あるいは、前記レンチキュラーシートにチェンジング画像を構成することができる。
【発明の効果】
【００１６】
本発明によれば、レンチキュラーシートを用いて立体画像やチェンジング画像が構成されたジグソーパズルを製造する場合、抜き型によるプレスに起因する画像の乱れを有効に防止し、立体画像やチェンジング画像の視覚的効果を損なうことがないジグソーパズルを低コストで実現することができる。
【発明を実施するための最良の形態】
【００１７】
本発明を適用したジグソーパズルの構造とその製造方法について、図面を参照しながら説明する。以下では、ジグソーパズルの切断方法が異なる２つの実施形態を順次説明する。
【００１８】
（第１実施形態）
以下、第１実施形態のジグソーパズルの構造及び製造方法を説明する。図１は、第１実施形態のジグソーパズル１の切断分離前の状態において、その一部を拡大した断面構造図である。図１では、ジグソーパズル１の任意のピースの所定箇所における断面構造が示され、厚手の台紙１０の上部にレンチキュラーシート１１が接着剤により貼り合わされた構造を有する。レンチキュラーシート１１は、画像が印刷された印刷層１２と、その上部のかまぼこ型の断面形状を持つ多数のレンチキュラーレンズ１３とから形成される。レンチキュラーシート１１の表面において、図１では拡大して示しているため限られた個数のレンチキュラーレンズ１３が示されるが、実際には多数の微細なレンチキュラーレンズ１３が連続的に配列形成されている。
【００１９】
図１の例では、印刷層１２において、元画像を細分化した３種の短冊画像Ｓ１、Ｓ２、Ｓ３が交互に配列されている。このとき、短冊画像Ｓ１、Ｓ２、Ｓ３の配列ピッチは、レンチキュラーレンズ１３のピッチの３分の１になっている。そして、レンチキュラーレンズ１３の屈折の作用により、レンチキュラーシート１１は、方向Ｄ１から見たとき多数の短冊画像Ｓ１からなる第１の画像が見え、方向Ｄ２から見たとき多数の短冊画像Ｓ２からなる第２の画像が見え、方向Ｄ３から見たとき多数の短冊画像Ｓ３からなる第３の画像が見える。従って、立体画像を構成する場合は、少しずつ視野方向が異なる共通の対象の３つの画像のデータを用い、チェンジング画像を構成する場合は、別々に用意された３種の画像のデータを用いる必要がある。
【００２０】
図２は、第１実施形態のジグソーパズル１の平面図を示している。第１実施形態では、多数のピースＰを切断する際の変形に起因する画像の乱れを防止するために抜き型によるプレスを採用せず、直線状の刃を有する裁断機を用いてジグソーパズル１を製造する。図２において、長方形のジグソーパズル１の枠２０内には多数のピースＰが配置される。各々のピースＰは、図７に示すような凹凸形状ではなく長方形の形状を有している。すなわち、裁断機の刃に合わせるため、全ての切断線Ｌを直線により形成したものである。なお、図２の切断線Ｌの位置情報は、裁断機により実際に各ピースＰを切断分離する前に、予め裁断機に設定される。
【００２１】
図２では、例えばＢ５サイズを有するジグソーパズル１において、横方向の８本の切断線Ｌと、縦方向の１１本の切断線Ｌを設定し、全部で１０８個（１２×９個）のピースＰを切断分離する構成となっている。枠２０は、ジグソーパズル１の全体のサイズより若干小さいサイズに設定され、全てのピースＰが切断分離されたときに枠２０の外周領域が残る。なお、ジグソーパズル１のサイズをより大きく設定する場合は、多数の切断線Ｌを設定してピースＰの個数を増やしてもよい。ジグソーパズル１の上部には、枠２０の内部領域及び外周領域を含めてレンチキュラーシート１１が貼り合わされ、印刷層１２の画像が各々のピースＰの配置に応じて分離される。
【００２２】
ジグソーパズル１の各ピースＰを組み合わせる際、誤った画像が組み合わされないように、全てのピースＰが異なる形状を有している。図２において、各ピースＰを隔てる各切断線Ｌの間隔を表記している。これらの間隔により、各ピースＰのサイズ（横方向及び縦方向の長さ）が定まる。１０８個のピースＰに対し、横方向の１２通りの長さＸ１〜Ｘ１２と、縦方向の９通りの長さＹ１〜Ｙ９が互いに異なる値に設定される。よって、全てのピースＰのサイズが固有のものとなり、誤った位置に組み合わされることを未然に防止することができる。また、枠２０は、横方向（長辺側）が長さＸｆ、縦方向（短辺側）が長さＹｆの長方形に設定されている。ここで、横方向の長さＸｆは横方向の８本の切断線Ｌの長さに対応し、縦方向の長さＹｆは縦方向の１１本の切断線Ｌの長さに対応する。
【００２３】
各ピースＰの横方向の長さＸ１〜Ｘ１２及び縦方向の長さＹ１〜Ｙ９は、遊戯時に違和感を与える程度の差が確保されていればよく、少なくとも１ｍｍ程度の差があれば十分である。ただし、各ピースＰのサイズに極端に差があると取り扱いにくいので、最大のサイズと最小のサイズは２倍程度の範囲にとどめることが望ましい。一方、ジグソーパズル１の外周領域と枠２０の間のサイズは、ピースＰを切断分離したときに安定な形状を保つ程度の値を確保すればよい。
【００２４】
次に、図２のジグソーパズル１から各ピースＰを切断分離する方法を説明する。第１実施形態では抜き型によるプレスを採用しないので、裁断機を用いて図２の切断線Ｌの位置を順番に切断していく。図３は、裁断機を用いた第１実施形態のジグソーパズル１の切断方法を説明する断面図である。図３においては、裁断機の基台３０上の平坦面に載置されたジグソーパズル１を側方から見た状態を示している。裁断機の刃は、固定部材３１に沿って上下にスライドする可動部材３２と、可動部材３２の下方に突出するように取り付けられた刃先３３ａ、３３ｂとにより構成される。なお、図３では図示を省略しているが、裁断機は、ジグソーパズル１の位置決めを自在に行う位置決め機構、位置情報の入力や各種操作を行う操作パネル、切断時に刃を動かす機構などを備えている。
【００２５】
裁断機の切断操作を行うと、可動部材３２及び刃先３３ａ、３３ｂは、一体的に下側にスライドして基台３０に形成された切り込み部に収納される状態まで移動する。刃先３３ａ、３３ｂ及び切り込み部は直線状に形成されているので、基台３０上のジグソーパズル１の所定箇所を直線状に切断することができる。このとき、位置決め機構によりジグソーパズル１を適切な位置にセットすることで、図２の任意の切断線Ｌの位置で正確に切断可能となる。
【００２６】
図３において、２つの刃先３３ａ、３３ｂを設けているのは、横方向の切断線Ｌと縦方向の切断線Ｌをそれぞれ切断するためである。すなわち、図２の長さＸｆ、Ｙｆに対応して、一方の刃先３３ａは横方向の切断線Ｌを切断するために横幅Ｘｆに形成され、他方の刃先３３ｂは縦方向の切断線Ｌを切断するために横幅Ｙｆに形成されている。よって、刃先３３ａ又は３３ｂを可動部材３２とともに下側にスライドさせるだけで、一律の長さＸｆ又はＹｆの切断線Ｌを切断可能となる。なお、裁断機の刃を動かす機構は、可動部材３２のスライド方向が正確な下向き（鉛直方向）となる場合に限らず、ジグソーパズル１の切断の容易性を考慮し、やや斜め下向き（１０度程度）のスライド方向となるものであってもよい。
【００２７】
図２に示すジグソーパズル１の切断分離工程を例にとると、長方形の枠２０の切断（４本分）と、横方向の８本の切断線Ｌと、縦方向の１１本の切断線Ｌを切断する必要があるので、裁断機により全部で２３回の切断動作が行われる。このうち、刃先３３ａは１０回分の切断動作に用いられ、刃先３３ｂは１３回分の切断動作に用いられる。例えば、刃先３３ａの直下にジグソーパズル１をセットすると、それ以降は切断線Ｌの位置情報に基づき自動的に位置決めが行われる。刃先３３ｂについても同様である。なお、基台３０に回転機構を組み込むことにより、ジグソーパズル１の横方向と縦方向の全ての切断線Ｌに対する位置決めを自動的に行うようにしてもよい。ジグソーパズル１の切断分離工程が終了すると、枠２０の外周領域と、枠２０内の１０８個のピースＰが切断分離された状態になる。
【００２８】
以上のように第１実施形態の切断方法を採用すれば、従来の抜き型を用いる切断方法の問題点（図８参照）を回避することができる。図４は、図８との比較のため、第１実施形態の切断方法を適用したジグソーパズル１の切断直後の状態を示している。図４では、台紙１０とその上部のレンチキュラーシート１１の断面において、隣接するピースＰの間の切断線Ｌ及びその近辺で、図８のような変形がなく平坦な表面が保たれている。これは、裁断機の刃先３３ａ、３３ｂが極めて鋭利に形成され、かつ切断線Ｌを１本ごとに切断するので、ジグソーパズル１の表面が変形するような押圧力が加わらない構造になっているためである。従って、レンチキュラーレンズ１３の屈折に影響を与えず、表面の立体画像やチェンジング画像の乱れを防止することができる。よって、第１実施形態の切断方法を採用したジグソーパズル１は、従来では困難であった高品位な立体画像やチェンジング画像が印刷可能で高い視覚的効果を得ることができる。
【００２９】
（第２実施形態）
以下、第２実施形態のジグソーパズルの構造及び製造方法を説明する。まず、第２実施形態のジグソーパズルに関し、レンチキュラーシート１１の構造は第１実施形態と同様であり、その切断分離前の断面構造は図１と同様であるので、説明を省略する。
【００３０】
図５は、第２実施形態のジグソーパズル２の平面図を示している。第２実施形態では、抜き型によるプレスを採用せずに直線状の刃を有する裁断機を用いてジグソーパズル２を製造する点は第１実施形態と同様であるが、切断されるピースＰの形状が異なっている。図５に示すように、ジグソーパズル２の枠２０内に配置された多数のピースＰは、長方形を基本形状としつつ、その４辺に五角形の凹凸部Ｕが付加されている。凹凸部Ｕは、各ピースＰの一方の対向する２辺では凹状に、他方の対向する２辺では凸状に、それぞれ形成されている。ただし、各ピースＰが枠２０に接する位置の辺には凹凸部Ｕが形成されていないので、外周側のピースＰは３辺に凹凸部Ｕが形成されている。
【００３１】
図５のジグソーパズル２においては、横方向の５本の切断線Ｌと、縦方向の７本の切断線Ｌを設定し、全部で４８個（６×８個）のピースＰを切断分離する構成となっている。この場合、図２では直線状の切断線Ｌが形成されるのに対し、図５では凹凸部Ｕに対応する直線の組合せに基づく切断線Ｌが形成される点で相違がある。これらの切断線Ｌの位置情報及び形状の情報は、後述の裁断機により実際に各ピースＰを切断分離する前に、予め裁断機に設定される。
【００３２】
図５では、図２と同様、各切断線Ｌの間隔を表記している。４８個のピースＰに対し、横方向の８通りの長さＸ１〜Ｘ８と、縦方向の６通りの長さＹ１〜Ｙ６が互いに異なる値に設定される。また、各ピースＰに凹凸部Ｕについては、少しずつ異なる複数通りの形状及び位置がランダムに用いられている。このように、ピースＰのサイズ及び形状は固有のものとなり、誤った位置に組み合わせされることを未然に防止することができる。また、枠２０は、横方向（長辺側）が長さＸｆ、縦方向（短辺側）が長さＹｆの長方形に設定されている。
【００３３】
図５の例では、各ピースＰの凹凸部Ｕが五角形である場合を示しているが、他の多角形で凹凸部Ｕを形成してもよい。凹凸部Ｕの形状は、連続する直線の組み合わせであれば自在に設定することができる。ただし、凹凸部Ｕを五角形の形状とすることにより、隣接するピースを組み合わせた状態で、横方向の力に対して安定的に保持することができる。なお、図５の例では、凹凸部Ｕの各辺における位置と五角形の形状がピースＰごとに異なっているが、各切断線Ｌ同士が異なる間隔で並ぶことにより各々のピースＰの形状は異なっているため、凹凸部Ｕは全部又は一部を同形状としてもよい。
【００３４】
次に、図５のジグソーパズル２から各ピースＰを切断分離する方法を説明する。第２実施形態の切断方法は、第１実施形態とは相違する。図６は、裁断機を用いた第２実施形態のジグソーパズル２の切断方法を説明する断面図である。図６においては、裁断機の基台４０上の平坦面に載置されたジグソーパズル２を側方から見た状態を示している。裁断機は、第１スライド部材４１と、第２スライド部材４２と、可動部材４３と、ホルダー４４と、刃４５とにより構成される。可動部材４３は、第２スライド部材４２に沿って紙面横方向（Ｙ方向とする）を自在に移動し、第２スライド部材４２は、両端の第１スライド部材４１に沿って紙面奥行方向（Ｘ方向とする）を自在に移動する。可動部材４３の下方に取り付けられたホルダー４４には、小型で薄型の刃４５が交換可能にセットされる。可動部材４３は、刃４５とともにホルダー４４を上下方向に昇降可能な構造となっている。
【００３５】
このように、第２実施形態の裁断機は、平面上の任意の座標（Ｘ／Ｙ）に刃４５を位置決めして自在に移動させることができる。図示しない操作パネルにより裁断機の切断操作を行うと、ジグソーパズル２の切断開始位置に可動部材４３を移動させた後に停止し、ホルダー４４を降下させて刃４５をジグソーパズル２に押し当て、その状態で任意の切断線Ｌに沿って可動部材４３を移動させる。そして、ジグソーパズル２の切断終了位置に達したとき、可動部材４３を停止させてホルダー４４を上昇させる。この一連の動作を繰り返すことで、ジグソーパズル２を全ての切断線Ｌに沿って切断することができる。
【００３６】
ここで、ジグソーパズル２の切断線Ｌは、各々の凹凸部Ｕを含めて直線の組み合わせで構成されている。第２実施形態では、刃４５が小型かつ薄型であるので、厚紙を曲線に沿って切断する場合は、刃４５の側面から加わる力の方向が不規則に変動するので破損等の恐れがある。厚紙を直線に沿って切断する場合は、刃４５の両側面に規則的な力が加わるので、このような問題は生じない。このように、全ての切断線Ｌを図５に示すように直線の組み合わせで構成したことにより、小型かつ薄型の刃４５を用いてジグソーパズル２をきめ細かく切断することができる。
【００３７】
また、図６に示すジグソーパズル２は、画像が印刷された表側が下側、裏側が上側となる状態で載置される。刃４５をジグソーパズル２に対して昇降させる際、上側では切断線Ｌに若干の乱れが生じる可能性があるのに対し、下側では切断線Ｌに乱れを生じない。よって、画像が印刷された表側を保護するために下側に載置するものである。
【００３８】
さらに、ジグソーパズル２における任意の１本の切断線Ｌは、１回の切断動作で切断してもよいが、複数の切断動作により１本の切断線Ｌを切断してもよい。具体的には、図５において横方向の切断線Ｌと縦方向の切断線Ｌの交点を残して、各々の切断線Ｌに沿って切断した後、最後に各交点付近を十字状に切断する手順を採用してもよい。切断動作の早い時点でピースＰが脱落するとその後の切断動作に支障を与えるので、上記の手順を採用して各ピースＰが交点付近で周囲のピースＰと繋がった状態とし、途中での脱落を防いで円滑な切断動作を行うことができる。
【００３９】
以上のように第２実施形態の切断方法を採用すれば、第１実施形態の場合と同様。図４に示すようにレンチキュラーシート１１の平坦な表面を保って画像の乱れを防止することができる。この場合、ジグソーパズル２の切断に小型かつ薄型の刃４５を用いているので、直線の組み合わせからなる切断線Ｌをシャープに切断することができる。これに加えて、第２実施形態の切断方法によれば、遊戯者が分離されたピースＰを組み合わせる際に、隣接するピースＰの凹凸部Ｕの形状をはめ合わせる楽しみも享受できる。なお、レンチキュラーシート１１上の画像として、立体画像やチェンジング画像を選択的に用いることができる点は第１実施形態の場合と同様である。
【００４０】
以上説明した各実施形態は、上記の構成に限定されることはなく、多様な変更を加えることができる。第１実施形態ではジグソーパズル１の各ピースＰが長方形である場合を説明し、第２実施形態では、ジグソーパズル２の各ピースＰが長方形の各辺に五角形の凹凸部を付加した形状である場合を説明したが、これらに限らず直線の組み合わせからなる多様な形状を有するピースＰを構成することができる。また、レンチキュラーシート１１の構造や材質は、上述の説明に限らず、上記各実施形態の切断方法を適用可能な範囲内で自在に選定することができる。
【図面の簡単な説明】
【００４１】
【図１】第１実施形態のジグソーパズル１を切断分離する前の状態において一部を拡大した断面構造図である
【図２】第１実施形態のジグソーパズル１の平面図である。
【図３】裁断機を用いて第１実施形態のジグソーパズル１を切断する状態を示す断面図である。
【図４】第１実施形態の切断方法を適用したジグソーパズル１の切断直後の状態を示す図である。
【図５】第２実施形態のジグソーパズル２の平面図である。
【図６】裁断機を用いて第２実施形態のジグソーパズル２を切断する状態を示す断面図である。
【図７】従来のジグソーパズルにおけるピースの形状を示す図である。
【図８】従来の打ち抜き加工を行う場合のジグソーパズルの断面の状態を示す図である。
【符号の説明】
【００４２】
１、２…ジグソーパズル
１０…台紙
１１…レンチキュラーシート
１２…印刷層
１３…レンチキュラーレンズ
２０…枠
３０…基台
３１…固定部材
３２…可動部材
３３ａ、３３ｂ…刃先
４０…基台
４１…第１スライド部材
４２…第２スライド部材
４３…可動部材
４４…ホルダー
４５…刃
Ｐ…ピース
Ｌ…切断線
Ｕ…凹凸部
Ｓ１、Ｓ２、Ｓ３…短冊画像
【図１】
2009028493.tif 000003
【図２】
2009028493.tif 000004
【図３】
2009028493.tif 000005
【図４】
2009028493.tif 000006
【図５】
2009028493.tif 000007
【図６】
2009028493.tif 000008
【図７】
2009028493.tif 000009
【図８】
2009028493.tif 000010